(57)【特許請求の範囲】
【請求項１】
コンクリートポンプから吐出されたコンクリートを、ディストリビュータ本体に有する上部旋回体及びブームに沿わせた輸送管を通して打設するようにしてあるクローラ式コンクリートディストリビュータにおける上記上部旋回体の後部に、後方へ張り出すように配置したアームを水平方向へ回動自在に取り付け、且つ上記ディストリビュータ本体の後方に配置した支持台上に、支持枠を水平方向へ回動自在に取り付けて、該支持枠に上記アームの先端部側をスライド自在に支持させ、更に、上記アーム上に、中間部を伸縮管部とした接続用配管の上記伸縮管部をアームの長手方向に沿うよう載置して、該接続用配管の一端を上記輸送管に接続すると共に、接続用配管の他端をコンクリートポンプに接続させるようにした構成を有することを特徴とするクローラ式コンクリートディストリビュータの接続用配管装置。
【請求項２】
接続用配管の伸縮管部をジグザグ状に屈曲する管体の連結構造とし、且つ下部に位置する屈曲部にガイドローラを設けて、該ガイドローラをアームの長手方向に沿うレールに係合させた請求項１記載のクローラ式コンクリートディストリビュータの接続用配管装置。
【請求項３】
アームをテレスコープ構造として、先端部を支持枠に固定した請求項１記載のクローラ式コンクリートディストリビュータの接続用配管装置。
【発明の詳細な説明】
【０００１】
【発明の属する技術分野】
本発明はダム工事等に用いられるクローラ式コンクリートディストリビュータのコンクリート輸送管をコンクリートポンプに接続するための接続用配管装置に関するものである。
【０００２】
【従来の技術】
たとえば、８０mm骨材の入ったダムコンクリートの打設工事用の機械として、クローラクレーンをベースとしたディストリビュータがある。
【０００３】
かかるクローラ式コンクリートディストリビュータは、図７にその一例の概略を示す如く、口径２００mm程度の配管をコンクリートの輸送管１として用い、該輸送管１を、クローラクレーンをベースとしたディストリビュータ本体２の上部旋回体３から各段のブーム４に順次沿わせて支持させるように配し、上段ブーム４の先端に臨ませた輸送管１の先端に先端ホース５を接続し、且つ２〜３本のドッキングホース（ゴムホース）６を接続して長くしたものを介して上記輸送管１の基端１ａと、別置きのコンクリートポンプ７とを接続するようにしてある。
【０００４】
上記コンクリートディストリビュータでは、別置きのコンクリートポンプ７から吐出されたコンクリートをドッキングホース６及び輸送管１を通し先端ホース５まで導き、先端ホース５から目的の場所へ打設するようにさせるが、この際、上部旋回体３によるブーム４の旋回操作に伴う輸送管１の基端１ａとコンクリートポンプ７との間の位置ずれを、ドッキングホース６の撓みで吸収させるようにしている。
【０００５】
【発明が解決しようとする課題】
ところが、従来では、上記ブーム４の旋回操作時にドッキングホース６の動きを助けるために、クレーン等の別の揚重機を用いてドッキングホース６を吊り上げる必要があり、打設作業の合理化を図る上で問題があった。
【０００６】
そこで、本発明は、ブームの旋回操作に伴う輸送管の基端とコンクリートポンプとの間の位置ずれの問題を巧みに解決し、打設作業の合理化を図ることができるようにしようとするものである。
【０００７】
【課題を解決するための手段】
本発明は、上記課題を解決するために、コンクリートポンプから吐出されたコンクリートを、ディストリビュータ本体に有する上部旋回体及びブームに沿わせた輸送管を通して打設するようにしてあるクローラ式コンクリートディストリビュータにおける上記上部旋回体の後部に、後方へ張り出すように配置したアームを水平方向へ回動自在に取り付け、且つ上記ディストリビュータ本体の後方に配置した支持台上に、支持枠を水平方向へ回動自在に取り付けて、該支持枠に上記アームの先端部側をスライド自在に支持させ、更に、上記アーム上に、中間部を伸縮管部とした接続用配管の上記伸縮管部をアームの長手方向に沿うよう載置して、該接続用配管の一端を上記輸送管に接続すると共に、接続用配管の他端をコンクリートポンプに接続させるようにした構成とする。
【０００８】
上部旋回体を介してブームを旋回操作すると、それに伴いアームが支持枠から引き出される如く追従変位させられると同時に、接続用配管の伸縮管部がアームに沿い展張させられることになり、輸送管とコンクリートポンプとの間の位置ずれが吸収される。
【０００９】
又、接続用配管の伸縮管部をジグザグ状に屈曲する管体の連結構造とし、且つ下部に位置する屈曲部にガイドローラを設けて、該ガイドローラをアームの長手方向に沿うレールに係合させた構成とすることにより、接続用配管の伸縮管部はレールに沿って円滑に伸縮させられる。
【００１０】
更に、アームをテレスコープ構造として、先端部を支持枠に固定した構成とした場合は、アームを支持枠から後方へ突出させることがなくなり、コンパクト化を図ることができる。
【００１１】
【発明の実施の形態】
以下、本発明の実施の形態を図面を参照して説明する。
【００１２】
図１乃至図５は本発明の実施の一形態を示すもので、ディストリビュータ本体２の上部旋回体３からブーム４に沿わせた輸送管１を通し、別置きのコンクリートポンプ７から吐出されたコンクリートを輸送して、輸送管１の先端ホース５よりコンクリートを打設できるようにしてあるコンクリートディストリビュータにおいて、上記ディストリビュータ本体２を、ブーム４の旋回操作に伴うコンクリートポンプ７との位置ずれを吸収できるようにした接続用配管装置８を介してコンクリートポンプ７に接続させるようにする。
【００１３】
接続用配管装置８について詳述すると、ディストリビュータ本体２の上部旋回体３の後端部に、ブラケット９を後方へ向けて水平に張り出させると共に、該ブラケット９の先端部に、水平に配した所要長さのアーム１０を、ヒンジ１１により水平方向へ回動自在に取り付け、又、ディストリビュータ本体２の後方に支持台１２を配置し、該支持台１２の上面部に、各筒状に形成した支持枠１３を下面部に装着したベアリング１４を介して水平方向へ回転自在に取り付け、且つ該支持枠１３内に、上記アーム１０の先端部側をスライド自在に挿通支持させ、上部旋回体３によりブーム４を旋回させたときに、アーム１０が水平方向に追従変位させられるようにし、更に、上記アーム１０上に、中間部を伸縮管部１５ａとした接続用配管１５の上記伸縮管部１５ａを、伸縮方向がアーム１０の長手方向に沿うように載置して、該接続用配管１５の一端を、上記ヒンジ１１の部分を通した後、上部旋回体３の後端部に位置させてある輸送管１の基端１ａに接続すると共に、上記接続用配管１５の他端を、支持枠１３の回転軸心上の位置を通過させた後、支持台１２を経由させてからコンクリートポンプ７に接続させるようにする。
【００１４】
上記接続用配管１５は多数の管体１５ｂからなり、伸縮管部１５ａは、図３に拡大して示す如く、Ｃ形の管体１５ｂの端部同士を順次回転継手１６により屈曲自在に連結してアーム１０の長手方向にジグザグ状に配置し、且つ下側屈曲部の回転継手１６の下部にガイドローラ１７を取り付け、該ガイドローラ１７を、アーム１０の上面部に設けた長手方向のレール溝１８に係合させて、長手方向へのみ伸縮変位できるようにしてあり、又、伸縮管部１５ａの一端側に連結位置する管体１５ｂは、図４に拡大して示す如く、ヒンジ１１と同心上の位置で回転継手１６により水平方向へ回動変位できるようにしてあり、更に、伸縮管部１５ａの他端側に連結位置する管体１５ｂは、図５に拡大して示す如く、支持枠１３の回転軸心上の位置で回転継手１６により水平方向へ回動変位できるようにしてある。
【００１５】
ディストリビュータ本体２のブーム４を前方へ向けているときは、上部旋回体３の後部のブラケット９と支持台１２上の支持枠１３との間の距離が最も短く、図１及び図２において実線で示す如く、輸送管１の基端１ａとコンクリートポンプ７との間を接続している接続用配管１５の伸縮管部１５ａは折り畳まれているように収縮した状態にある。
【００１６】
上記の状態から上部旋回体３を介してブーム４を旋回させると、ブラケット９は図２の実線の位置から、たとえば、二点鎖線で示す如き位置へと水平に変位させられる。この場合、ブラケット９は支持台１３から離れることになるが、アーム１０はヒンジ１１によりブラケット９に水平方向へ回動自在に連結してあり、且つアーム１０の先端部側を支持する支持枠１３はベアリング１４により支持台１２に水平方向へ回動自在に取り付けてあるため、アーム１０は支持枠１３から引き出されるようにしてブラケット９に追従して変位させられる。支持枠１３からアーム１０が引き出されるようにしてブラケット９と支持枠１３との間に位置するアーム１０が長くなると、アーム１０上に位置する接続用配管１５の伸縮管部１５ａがアーム１０の長手方向に沿って展張させられることになる。この際、伸縮管部１５ａは下側屈曲部のガイドローラ１７がアーム１０の上面のレール溝１８に沿わされることから、展張動作が安定して行われる。
【００１７】
ブーム４が上記とは逆方向へ旋回した場合には、上記の場合と同様に、ブラケット９の変位に追従して、アーム１０及び接続用配管１５を変位させることができる。
【００１８】
このように、接続用配管装置８の採用により、ディストリビュータ本体２のブーム４の旋回操作に伴う輸送管１の基端１ａとコンクリートポンプ７との間の位置ずれを、揚重機を用いることなく、接続用配管１５自体の伸縮変位で吸収することができる。したがって、ブーム４を自由に旋回させることができるので、打設作業の合理化を図ることができる。因に、アーム１０の長さや接続用配管１５の伸縮管部１５ａの長さ等にも依るが、図２においてブラケット９を二点鎖線と一点鎖線で示す如く、ブーム４の旋回角度を１１０°程度までは無理なく設定することができる。
【００１９】
次に、図６は本発明の他の実施の形態を示すもので、上記実施の形態において、アーム１０を、順次直径の異なる角筒状のアーム体１０ａを組み合わせてなるテレスコープ構造として、アーム１０の先端部を支持枠１３に固定し、且つ接続用配管１５の伸縮管部１５ａにおける下側屈曲部を対応するアーム体１０ａの上面に位置固定し、ディストリビュータ本体２のブーム４の旋回操作に伴って、アーム１０が伸縮変位できるようにしたものである。
【００２０】
図６に示すようにすると、アーム１０を、支持枠１３から後方へ突出させることがなく、コンパクト化を図る上で有利となる。
【００２１】
なお、支持台１２は、ディストリビュータ本体のＡフレームに吊り具を設けておいて、吊り下げた状態で移動させるようにしたり、車輪を付けて牽引するようにしてもよいこと、その他本発明の要旨を逸脱しない範囲内において種々変更を加え得るものである。
【００２２】
【発明の効果】
以上述べた如く、本発明のクローラ式コンクリートディストリビュータの接続用配管装置によれば、次の如き優れた効果を発揮する。
(1) コンクリートポンプから吐出されたコンクリートを、ディストリビュータ本体に有する上部旋回体及びブームに沿わせた輸送管を通して打設するようにしてあるクローラ式コンクリートディストリビュータにおける上記上部旋回体の後部に、後方へ張り出すように配置したアームを水平方向へ回動自在に取り付け、且つ上記ディストリビュータ本体の後方に配置した支持台上に、支持枠を水平方向へ回動自在に取り付けて、該支持枠に上記アームの先端部側をスライド自在に支持させ、更に、上記アーム上に、中間部を伸縮管部とした接続用配管の上記伸縮管部をアームの長手方向に沿うよう載置して、該接続用配管の一端を上記輸送管に接続すると共に、接続用配管の他端をコンクリートポンプに接続させるようにした構成としてあるので、上部旋回体によるブームの旋回操作に伴い、揚重機を用いることなく、接続用配管を地上から浮かせた状態で追従変位させることができて、輸送管とコンクリートポンプとの位置ずれを吸収させることができ、これにより、ブームの旋回操作性を向上させることができて、コンクリート打設作業の合理化を図ることができる。
(2) 接続用配管の伸縮管部をジグザグ状に屈曲する管体の連結構造とし、且つ下部に位置する屈曲部にガイドローラを設けて、該ガイドローラをアームの長手方向に沿うレールに係合させた構成とすることにより、接続用配管の伸縮管部を、アームの旋回操作に伴わせて円滑に伸縮させることができる。
(3) アームをテレスコープ構造として、先端部を支持枠に固定した構成とすることにより、アームを支持枠から後方へ突出させることがなく、コンパクト化を図ることができる。
【図面の簡単な説明】
【図１】本発明のクローラ式コンクリートディストリビュータの接続用配管装置の実施の一形態を示す側面図である。
【図２】図１の平面図である。
【図３】図１のIII −III 拡大矢視図である。
【図４】図１のIV−IV拡大矢視図である。
【図５】図１のＶ−Ｖ拡大矢視図である。
【図６】本発明の他の実施の形態を示す概略図である。
【図７】クローラ式コンクリートディストリビュータの一例を示す概要図である。
【符号の説明】
１  輸送管
２  ディストリビュータ本体
３  上部旋回体
４  ブーム
７  コンクリートポンプ
１０  アーム
１２  支持台
１３  支持枠
１５  接続用配管
１５ａ  伸縮管部
１５ｂ  管体
１７  ガイドローラ
１８  レール溝（レール）
【図１】
0003658717.tif 000002
【図２】
0003658717.tif 000003
【図３】
0003658717.tif 000004
【図４】
0003658717.tif 000005
【図５】
0003658717.tif 000006
【図６】
0003658717.tif 000007
【図７】
0003658717.tif 000008